(57)【要約】      （修正有）【課題】傾斜角度を有して回転することで、左右のスタンドテーブルがそれぞれ上下に振れて動くため、その動きは全く同じではないという特徴を有し、動作のバリエーションが増え、面白みが加わる。【解決手段】傾斜型回転ダブルツイストボードは、本体構造に左側スタンドテーブル５０と右側スタンドテーブル６０が軸接続されて、左右のスタンドテーブル５０と６０と本体構造４０の結合中心線は左右対称の適当な傾斜角度を有し、使用者が左右のツイスト運動を行なうと左右のスタンドテーブル５０と６０は、左右方向の回転を行ないうと共に上下方向にも振れる。これにより、多方向の脚部運動が可能となる。【選択図】図１
0003141820.tif 000002
【実用新案登録請求の範囲】
【請求項１】
左側スタンドテーブル、右側スタンドテーブル及び本体構造を備え、
前記左側スタンドテーブル、右側スタンドテーブル及び本体構造に、左支え筒カバー、右支え筒カバー及び左側支柱軸、右側支柱軸が設置され、それらがそれぞれ本体構造の左側、右側の位置に軸接続されて組み合わされ、
左側スタンドテーブルの結合回転中心線及び右側スタンドテーブルの結合回転中心線は、適当な小さい角度の傾斜を有し、さらに、左右対称であることにより、左右の足を左右のスタンドテーブル上に置いて立ち、快速で左右にツイスト運動を行なうことができ、同時に、左右の足の裏が適度に上下に交互に振れる動作が行えることを特徴とする傾斜型回転ダブルツイストボード。
【考案の詳細な説明】
【技術分野】
【０００１】
本考案は傾斜型回転ダブルツイストボードに関し、特に、本体構造の左側上方に左側スタンドテーブルが連結されて、使用者は左足でその上に立ち、本体構造の右側上方に右側スタンドテーブルが連結されて、使用者は右足でその上に立ち、そして、左右のスタンドテーブルと本体構造の連結中心線は左右対称の適当な角度の傾斜を有し、使用者が左右にツイスト運動をするとき、その左右のスタンドテーブルの一方の面は、左右方向の回転を行い、他面が上下方向に振れることにより、多方向の脚部の運動が行な、体重をわずかに両足で支えることで、全身のバランス運動、腰部のツイスト運動、太もも、脚部、足の裏全ての運動効果が達成できることを特徴とする、傾斜型回転ダブルツイストボードに関する。
【背景技術】
【０００２】
図６及び図６−１に図示したように、従来のツイストボード１は、主に両足を揃えて上部回転テーブル１１の上に乗せて使用する。従来のツイストボード１は、上部回転テーブル１１と下部キャリア盤１２が、上部キャリア盤１１の中央の上部回転穴１１１と下部キャリア盤１２の下部回転穴１２１とを、固定ボルト１３とねじ１３１が経由して結合される。この結合位置は、使用者の体重に耐えられるように、上部回転穴１１１と下部回転穴１２１の適切な半径の位置である。更に、この従来のツイストボード１は、ボール１４を有し、この複数のボール１４は部スライド槽１１２と下部スライド槽１２２の間に配置される。使用者が体をツイスト運動させると、上部回転穴１１１と下部回転穴１２１を中心として、上部回転テーブル１１が左右に回転する。このとき、上部スライド槽１１２と下部スライド槽１２２の間に配置されたボール14が転がることにより、使用者の体重を均一に受けて、ツイスト運動の際の磨耗と抵抗を低く抑えている。この従来のツイストボード１の構造は簡単であり、部品のほとんどがプラスチック製であって低価格である。
【０００３】
しかしながら、科学技術の進歩と共に、生活のレベルが上がり、この従来のツイストボード１には以下の幾つかの改良すべき点が挙げられる。
【０００４】
１．使用者が、両足を上部回転テーブル１１の上に乗せて左右にツイスト運動するとき、ボール１４が転がると上部スライド槽１１２と下部スライド槽１２２との間の摩擦が不均衡となり、また、地面に下部キャリア盤１２を置いたときに水平ではなく、使用者がツイスト運動を行うと、使用者の体の方向又は角度が変化してしまう。例えば、使用者が従来のツイストボード１を用いて、テレビの正面でテレビを見ながらツイスト運動をすると、使用者の体は一定の時間が過ぎた時に、テレビの正面にないという状況が発生する。
２．使用者が、両足を上部回転テーブル１１の上に置いたとき、使用者の全体重が小さな上部回転テーブル１１に集中する。使用者の体型が肥満型の場合や、ツイスト運動の動作が大きすぎる場合は、使用者が上部回転テーブル１１から転倒する危険がある。
３．ボール１４に大きな重量がかかった状態で、ボール１４が上部スライド槽１１２と下部スライド槽１２２の間で転がると、大きな騒音が発生する。
４．使用者は、長時間に渡り左右のツイスト動作のみを続けていると、ツイスト運動を単調であると感じる。
【０００５】
上記の４つの欠点を解消するために、上部回転テーブルの面積が小さいこと、及び、重心が不安定であることを改良した、図５に図示したダブルツイストボード２が提供された。これは、図６及び図６−１に図示した、従来のツイストボード１の下部キャリア盤１２を改良して大きくしたものであり、左右にそれぞれボール１４、下部スライド槽１２２及び下部回転穴１２１を有するキャリア盤２３を有し、左右にそれぞれ上部回転テーブル１１と同様の左回転テーブル２１及び右回転テーブル２２を結合させている。左回転テーブル２１と右回転テーブル２２の距離は肩幅にほぼ等しく、使用者は、左足を左回転テーブル２１の上に乗せて、右足を右回転テーブル２２の上に乗せて、図５に図示した左右のツイスト運動を行なう。
【０００６】
更に、図５−１及び図５−２を参照しながら説明する。ダブルツイストボード２を実際に使用した場合、両足を開いて立つことで、重心が安定して体の方向が固定されて体の方向が変わることがない。家庭内でテレビを見ながらツイスト運動を行なう場合でも十分便利である。しかしながら、使用者が左右の足を同時にツイストさせるため、騒音が生じるという問題と、ツイスト運動を単調に感じるという問題が依然として解決されていない。
【考案の開示】
【考案が解決しようとする課題】
【０００７】
従って、本考案は上記の従来のダブルツイストボード２が有する欠点を改良することを課題としている（図２に図示したとおり）。
【課題を解決するための手段】
【０００８】
本願の考案は、左側スタンドテーブル、右側スタンドテーブル及び本体構造を備え、前記左側スタンドテーブル、右側スタンドテーブル及び本体構造に、左支え筒カバー、右支え筒カバー及び左側支柱軸、右側支柱軸が設置され、それらがそれぞれ本体構造の左側、右側の位置に軸接続されて組み合わされ、左側スタンドテーブルの結合回転中心線及び右側スタンドテーブルの結合回転中心線は、適当な小さい角度の傾斜を有し、更に、左右対称であることにより、左右の足を左右のスタンドテーブル上に置いて立ち、快速で左右にツイスト運動を行なうことができ、同時に、左右の足の裏が適度に上下に交互に振れる動作が行えることを特徴とする傾斜型回転ダブルツイストボード、である。
【考案の効果】
【０００９】
本考案の傾斜型回転ダブルツイストボードは、右側スタンドテーブルの前部支柱軸が回転して正面前方に来たとき、左側スタンドテーブルの前部支柱軸も連動して正面前方の位置に来るという特徴を有する。また、本考案の傾斜型回転ダブルツイストボードは、使用者がツイスト運動をして左右の足を運動させると、左右のスタンドテーブルがほぼ同時に動作する。そして、本考案は傾斜角度を有して回転することで、幾何関係により、左右スタンドテーブルの回転は同方向で、その回転角度もほぼ等しいものの、左右のスタンドテーブルがそれぞれ上下に振れて動くため、その動きは全く同じではないという特徴を有する。従って、動作のバリエーションが増え、面白みが加わるという効果を有する。
【考案を実施するための最良の形態】
【００１０】
図１、図２、図４、図４−１を参照しながら説明する。上記の課題を解決するため、図１及び図２に図示した本考案の傾斜型回転ダブルツイストボード３は、本体構造４０、左側スタンドテーブル５０、右側スタンドテーブル６０、連動シャフト７０、及び、若干の固定用ねじ５２２、６２２、７１２、から構成される。
【００１１】
このうち本体構造４０は、充分な大きさと強度を有する左右対称のボード構造であって、使用者の体重及びツイスト運動にかかる力を支える。前後方向の中心線位置の右側には図１、図４、図４−１に図示したように、右側支柱軸４１が設置され、右側支柱軸の上方には右側スタンドテーブル６０が連結される。そして、図４−１に図示したように、その軸心線及び構造水平面の角度８０は適当な傾斜を有する。また、互いに左右対称の左側にも、左側支柱軸４３が設置される。左側支柱軸４３と右支柱軸４２の間の適当な位置には、柔軟な材質のストッパー４１が固定され、外的な衝撃を吸収すると同時にツイスト運動を止める作用を有する。
【００１２】
右側スタンドテーブル６０の大きさは、一般成人の足の裏の面積よりやや大きく、その平板構造は使用者が右足で立つのに適している。前端下方の適当な距離には、前部支柱軸６１が設置され、前部支柱軸６１には連動シャフト７０の一端のユニバーサルジョイント７１の支柱穴７１１が可動可能に挿入される。そして、ねじ７１２が前部支柱軸６１の内側ねじ山６１１にねじ込まれて互いに固定される。
【００１３】
中央位置に下に向かって延びて傾斜した、右支え筒カバー６２は、上から下に向かって可動式であり、本体構造４０の右側支柱軸４２にはめ込まれる。そして、ねじ６２２が右側支柱軸４２の内側ねじ山４２１にねじ込まれて互いに固定される。更に、図４、図４−１に図示したように、前部支柱軸６１が正面前方の位置のとき、この右側スタンドテーブル６０の平面は、本体構造４０の水平面と平行である。
【００１４】
左側スタンドテーブル５０は、右側の右側スタンドテーブル６０と左右対称の構造であり、使用者が左足で立つのに適している。前端下方の適当な距離には、前部支柱軸５１が設置され、前部支持柱５１には連動シャフト７０の他端のユニバーサルジョイント７１の支持柱穴７１１が可動可能に挿入される。中央の左支え筒カバー５２は、本体構造４０の左側支柱軸４３にはめ込まれる。当然に、その前部支柱軸５１が正面前方の位置のとき、左側スタンドテーブル５０の平面は、右側スタンドテーブル６０平面及び本体構造４０の平面と平行である。
【００１５】
連動シャフト７０は、適当な長さを有し且つ左右対称のパーツである。両端はそれぞれユニバーサルジョイント７１が固定設置される。これは従来のジョイントパーツであって、支柱穴７１１を中心として自由に回転するほか、その他の方向の小さな角度の範囲において回転する。
【００１６】
そして、本考案は以下の機能を有する。
１．右側スタンドテーブル６０の前部支柱軸６１が回転して正面前方に来たとき、左側スタンドテーブル５０の前部支柱軸５１も連動して正面前方の位置に来るという特徴を有する。
２．使用者がツイスト運動をして左右の足を運動させるとき、左右のスタンドテーブルが連動して回転し、ほぼ同時に動作する。本考案は、傾斜角度を有して回転することで、幾何関係により、左右のスタンドテーブル５０と６０の回転が同じ方向であって、回転角度もほぼ等しいものの、左右のスタンドデーブル５０と６０がそれぞれ上下方向に振れるため、その動きは全く同じではないという特徴を有する。
【００１７】
ストッパー41は、本体構造４０中央の適当な位置に固定される。ストッパー４１は、左右のスタンドテーブル５０と６０が回転し、設計上最も大きな角度範囲に達したときに、左右のスタンドテーブル５０と６０の側面が接触するのを防ぐのに用いられる。また、ストッパー４１は、使用者がツイスト運動をしたときに、ツイスト運動の角度が大きすぎることで、使用者がバランスを失って転倒するのを防止し、更には、ツイスト運動の角度が大きすぎることで、連動シャフト７０のユニバーサルジョイント７１を破損するのを防止する。
【００１８】
前述の左右のスタンドテーブル５０と６０の左右の支え筒カバー５２とと６０と、本体構造４０の左右の支柱軸４３と４２の間には、従来のベアリング又は耐磨耗性を有する銅カバーを配置することも可能であり、これにより、騒音の発生の防止、摩擦による抵抗の発生を抑えることができる。
【００１９】
上述の各構成部分を組み合わせることにより、本考案の傾斜型回転ダブルツイストボードが完成する。図５−３及び図５−４は、図２に図示した本考案の傾斜型回転ダブルツイストボードの他の形態を図示するものである。
【実施例】
【００２０】
図１、図３及び図３−１を参照しながら、本考案の実施例についてについて説明する。使用者は、図５に図示した従来のダブルツイストボートと同様に、本考案の傾斜型回転ダブルツイストボードにおいても、左足を左側スタンドテーブル５０の上に乗せ、右足を右側スタンドテーブル６０の上に乗せる。
【００２１】
図３−１に図示したように、両足が右にツイスト運動するとき（時計周りの方向)、左右のスタンドテーブル５０と６０の前部支柱軸５１と６１は、連動シャフト７０に軸接続されて連動されることにより、左右のスタンドテーブル５０と６０を伴い、左右の足は同時に右にツイスト運動する。同時に、本体構造４０の左右の支柱軸４３と４２は、左右対称であってお互いに傾斜しているため、右側スタンドテーブル６０の前端が上に向かって適度に振れると、左側スタンドテーブル５０の前端は下に向かって適度に振れる。同様に、図３に図示したように、左右の足が左にツイスト運動するときもまた（時計周りと逆の方向)、右側スタンドテーブル６０の前端が下に向かって振れ、左側スタンドテーブル５０の前端は上に向かって振れる。本考案の傾斜型回転ダブルツイストボードにおいては使用者の体の方向は、ツイスト運動の前後に渡って同じ方向であり、体の向き変化することはない。
【００２２】
左支え筒カバー及び左の支柱軸の傾斜方向は、図４及び図４−１に図示したものとは逆である。すなわち、左右のスタンドテーブルの上下に振れる方向は、互いに上下逆方向である。上述の構造関係から、使用者が快速で左右にツイスト運動を行ったとき、左右両足は、左右方向へのツイスト運動をするだけでなく、左右の両足が交互に上下に振れる動作を行うことが可能となり、本考案の傾斜型回転ダブルツイストボードは、運動バリエーションが豊富であり、使用者は左右及び上下に運動する感覚を通じて、ツイスト運動に面白みを感じるという効果を有する。
【産業上の利用可能性】
【００２３】
本考案の傾斜型回転ダブルツイストボードは、試作品の製作及び製品の試験を経て製品化されたものであるから、従来のツイストボードのように、使用者の体の方向がツイスト運動中に変化するという問題、重心が不安定であるという問題、騒音が発生するという問題、動作が単調であり面白みに欠けるという問題は解決されている。本考案は商品としての必要性及び進歩性において価値を有し、運動用品の新たな創作性において貢献、有益性を有するものである。
【図面の簡単な説明】
【００２４】
【図１】本考案の分解図である。
【図２】本考案の組立図である。
【図３】本考案の使用動作を示した図（一）である。
【図３−１】本考案の使用動作を示した図（二）である。
【図４】本考案の左、右のスタンドテーブル平面部分が本体構造と連結し、水平面が互いに平行であることを示した立体図である。
【図４−１】図４のＢ−Ｂによる断面図である。
【図５】ダブルツイストボードの使用状況を示した図である。
【図５−１】図５の立体図である。
【図５−２】図５−１を他角度から見た立体図である。
【図５−３】本考案の他の形態の立体図である。
【図５−４】図５−３を他角度から見た立体図である。
【図６】従来のツイストボードの使用状況を示した図である。
【図６−１】図６のＡ−Ａによる断面図である。
【符号の説明】
【００２５】
１      従来のツイストボード
１１    上部回転テーブル
１１１  上部回転穴
１１２  上部スライド槽
１２    下部キャリア盤
１２１  下部回転穴
１２２  下部スライド槽
１３    固定ボルト
１３１  ねじ
１４    ボール
２      ダブルツイストボード
２１    左回転テーブル
２２    右回転テーブル
２３    キャリア盤
３      本考案の傾斜型回転ダブルツイストボード
４０    本体構造
４１    ストッパー
４２    右側支柱軸
４２１  内側ねじ山
４３    左側支柱軸
４３１  内側ねじ山
５０    左側スタンドテーブル
５１    前部支柱軸
５１１  内側ねじ山
５２    右支え筒カバー
５２１  回転穴
５２２  ねじ
６０    左側スタンドテーブル
６１    前部支柱軸
６１１  内側ねじ山
６２    右支え筒カバー
６２１  回転穴
６２２  ねじ
７０    連動シャフト
７１    ユニバーサルジョイント
７１１  支柱穴
７１２  ねじ
８０    傾斜角度
【図１】
0003141820.tif 000003
【図２】
0003141820.tif 000004
【図３−１】
0003141820.tif 000005
【図３】
0003141820.tif 000006
【図４】
0003141820.tif 000007
【図４−１】
0003141820.tif 000008
【図５】
0003141820.tif 000009
【図５−１】
0003141820.tif 000010
【図５−２】
0003141820.tif 000011
【図５−３】
0003141820.tif 000012
【図５−４】
0003141820.tif 000013
【図６】
0003141820.tif 000014
【図６−１】
0003141820.tif 000015